(57)【要約】【課題】  基礎工事の更なる容易化と工期短縮を実現する型枠支持具、アンカーボルト固定具、及び型枠セットを提供する。【解決手段】  型枠支持具において、基部１０１と、基部から上方に延びる第１の鉛直部材１０２と、基部から上方に延びる第２の鉛直部材１０３と、第１の鉛直部材と第２の鉛直部材の間に架け渡された水平部材１０４と、第２の鉛直部材に対する水平部材の固定状態と固定解除状態を切り替え可能な固定手段１０５と、を有し、基部は、第１の鉛直部材に対して第２の鉛直部材とは反対側で、第１の型枠パネルを支持する第１のパネル支持部を有し、水平部材は、第２の鉛直部材側に第２の型枠パネルを支持する第２のパネル支持部を有するものとする。【選択図】  図１
2020190168.tif 000002
【特許請求の範囲】
【請求項１】
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第２の鉛直部材に対する前記水平部材の固定状態と固定解除状態を切り替え可能な固定手段と、を有し、
前記基部は、前記第１の鉛直部材に対して前記第２の鉛直部材とは反対側で、第１の型枠パネルを支持する第１のパネル支持部を有し、
前記水平部材は、前記第１の型枠パネルに対向する第２の型枠パネルを、前記第２の鉛直部材側で支持する第２のパネル支持部を備える型枠支持具。
【請求項２】
前記第１の型枠パネルが断熱材から構成されている請求項１に記載の型枠支持具。
【請求項３】
前記第２の型枠パネルが断熱材から構成されている請求項１に記載の型枠支持具。
【請求項４】
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第１の鉛直部材に対する前記水平部材の固定状態と固定解除状態を切り替え可能な第１の固定手段と、
前記第２の鉛直部材に対する前記水平部材の固定状態と固定解除状態を切り替え可能な第２の固定手段と、を有し、
前記水平部材は、前記第１の鉛直部材側で第１の型枠パネルを支持する第１のパネル支持部と、前記第１の型枠パネルに対向する第２の型枠パネルを前記第２の鉛直部材側で支持する第２のパネル支持部とを備える型枠支持具。
【請求項５】
重力方向に延びる鉛直成分と、
前記鉛直成分から水平方向に延び、先端に第１の型枠パネルに固定される固定用端部を備えたアームと、
前記鉛直成分の上側で前記第１の型枠パネルに対向する第２の型枠パネルを保持するパネル保持部と、
前記鉛直成分の下側で前記第１の型枠パネルに対向する第３の型枠パネルに支持される被支持部と、を有する深基礎用の型枠支持具。
【請求項６】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具。
【請求項７】
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第１の鉛直部材に対する前記水平部材の固定状態と固定解除状態を切り替え可能な第１の固定手段と、
前記第２の鉛直部材に対する前記水平部材の固定状態と固定解除状態を切り替え可能な第２の固定手段と、を有し、
前記水平部材は、前記第１の鉛直部材側で第１の型枠パネルを支持する第１のパネル支持部と、前記第１の型枠パネルに対向する第２の型枠パネルを前記第２の鉛直部材側で支持する第２のパネル支持部とを備える型枠支持具と、
請求項１に記載の型枠支持具と、を含む型枠セット。
【請求項８】
重力方向に延びる鉛直成分と、
前記鉛直成分から水平方向に延び、先端に第１の型枠パネルに固定される固定用端部を備えたアームと、
前記鉛直成分の上側で前記第１の型枠パネルに対向する第２の型枠パネルを保持するパネル保持部と、
前記鉛直成分の下側で前記第１の型枠パネルに対向する第３の型枠パネルに支持される被支持部と、を有する深基礎用の型枠支持具と、
請求項４に記載の型枠支持具と、を含む型枠セット。
【請求項９】
主部と、前記主部の端部にそれぞれ固定され、長尺の補強材を基礎立上り部の長手方向に保持する一対の補強材保持部を有する幅止め具と、
請求項１に記載の型枠支持具と、を含む型枠セット。
【請求項１０】
主部と、前記主部の端部にそれぞれ固定され、長尺の補強材を基礎立上り部の長手方向に保持する一対の補強材保持部を有する幅止め具と、
請求項４に記載の型枠支持具と、を含む型枠セット。
【請求項１１】
主部と、前記主部の端部にそれぞれ固定され、長尺の補強材を基礎立上り部の長手方向に保持する一対の補強材保持部を有する幅止め具と、
請求項５に記載の型枠支持具と、を含む型枠セット。
【請求項１２】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具と、
請求項１に記載の型枠支持具と、を含む型枠セット。
【請求項１３】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具と、
請求項４に記載の型枠支持具と、を含む型枠セット。
【請求項１４】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具と、
請求項５に記載の型枠支持具と、を含む型枠セット。
【請求項１５】
基礎立上り部の側面を構成する鋼板プレートと、
請求項１に記載の型枠支持具と、を含む型枠セット。
【請求項１６】
基礎立上り部の側面を構成する鋼板プレートと、
請求項４の型枠支持具と、を含む型枠セット。
【請求項１７】
基礎立上り部の側面を構成する鋼板プレートと、
請求項５の型枠支持具と、を含む型枠セット。
【発明の詳細な説明】
【技術分野】
【０００１】
本願は、建物のコンクリート造の基礎を構築する際に用いる型枠支持具、アンカーボルト固定具、及び型枠セットに関するものである。
【背景技術】
【０００２】
従来、鉄筋コンクリート造のべた基礎と基礎立上り部のコンクリートの打設を１回で済ませることができる型枠構造及び枠板の保持具が提案されている（下記、特許文献１）。また、基礎コンクリートの打設時に、基礎コンクリートに埋め込むアンカーボルトを支持する支持具が提案されている（下記、特許文献２）。
【先行技術文献】
【特許文献】
【０００３】
【特許文献１】特開平９−２１７４８７号公報
【特許文献２】特開２００６−１０４８３９号公報
【発明の概要】
【発明が解決しようとする課題】
【０００４】
近年の建設需要の高まりと、熟練工の高齢化、人手不足を背景に、建設工事の更なる容易化と工期短縮が求められている。
【０００５】
これに鑑みて、本願は、基礎工事の更なる容易化と工期短縮を実現する型枠支持具、アンカーボルト固定具、及び型枠セットを提供することを目的とする。
【課題を解決するための手段】
【０００６】
本願の型枠支持具は、基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第２の鉛直部材に対する前記水平部材の固定状態と固定解除状態を切り替え可能な固定手段と、を有し、
前記基部は、前記第１の鉛直部材に対して前記第２の鉛直部材とは反対側で、第１の型枠パネルを支持する第１のパネル支持部を有し、
前記水平部材は、前記第１の型枠パネルに対向する第２の型枠パネルを、前記第２の鉛直部材側で支持する第２のパネル支持部を備える。
【０００７】
本願の型枠支持具は、基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第１の鉛直部材に対する前記水平部材の固定状態と固定解除状態を切り替え可能な第１の固定手段と、
前記第２の鉛直部材に対する前記水平部材の固定状態と固定解除状態を切り替え可能な第２の固定手段と、を有し、
前記水平部材は、前記第１の鉛直部材側で第１の型枠パネルを支持する第１のパネル支持部と、前記第１の型枠パネルに対向する第２の型枠パネルを前記第２の鉛直部材側で支持する第２のパネル支持部とを備える。
【０００８】
本願の型枠支持具は、重力方向に延びる鉛直成分と、
前記鉛直成分から水平方向に延び、先端に第１の型枠パネルに固定される固定用端部を備えたアームと、
前記鉛直成分の上側で前記第１の型枠パネルに対向する第２の型枠パネルを保持するパネル保持部と、
前記鉛直成分の下側で前記第１の型枠パネルに対向する第３の型枠パネルに支持される被支持部と、を有する。
【０００９】
本願のアンカーボルト固定具は、基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有する。
【発明の効果】
【００１０】
本願発明によれば、基礎工事の更なる容易化と工期短縮を実現する型枠支持具、アンカーボルト固定具、及び型枠セットを提供することができる。
【図面の簡単な説明】
【００１１】
【図１】図１は本願の第１実施形態に係る型枠構造を示す縦断面図である。
【図２】図２は本願の第１実施形態に係る型枠支持具を示す三面図である。（ａ）は正面図、（ｂ）は側面図、（ｃ）は底面図である。
【図３】図３は本願の第１実施形態に係る幅止め具を示す三面図である。（ａ）は正面図、（ｂ）は側面図、（ｃ）は底面図である。
【図４】図４は本願の第１実施形態に係るアタッチメントを示す三面図である。（ａ）は上面図、（ｂ）は正面図、（ｃ）は側面図である。
【図５】図５は本願の第１実施形態に係るアンカーボルト固定具を示す二面図である。（ａ）は上面図、（ｂ）は正面図である。
【図６】図６は本願の第２実施形態に係る型枠構造を示す縦断面図である。
【図７】図７は本願の第３実施形態に係る型枠構造を示す縦断面図である。
【図８】図８は本願の第４実施形態に係る型枠構造を示す縦断面図である。
【図９】図９は本願の第４実施形態に係る型枠支持具を示す三面図である。（ａ）が正面図、（ｂ）が側面図、（ｃ）が下面図である。
【図１０】図１０は本願の第５実施形態に係る型枠構造を示す縦断面図である。
【図１１】図１１は本願の第５実施形態に係る型枠支持具を示す三面図である。（ａ）が左側面図、（ｂ）が正面図、（ｃ）が右側面図、（ｄ）が下面図である。
【図１２】図１２は本願の第６実施形態に係る型枠構造を示す縦断面図である。
【発明を実施するための形態】
【００１２】
（第１実施形態）
本願の第１実施形態に係る型枠セットを用いた型枠構造１０００と、この型枠構造１０００に用いる型枠支持具１００及びアンカーボルト固定具１８５について、図１から図５を参照しながら説明する。図１は、型枠構造１０００を示す縦断面図である。
【００１３】
型枠構造１０００は、べた基礎１５５と、外壁を支持する基礎立上り部１５７を構築するために用いられる。型枠構造１０００は、図１に示すように、型枠支持具１００と、第１の型枠パネル１１０と、第２の型枠パネル１２０と、幅止め具１３０と、一対の補強材１４０ａ、１４０ｂとを有する。
【００１４】
図２は、型枠支持具１００を示す三面図である。型枠支持具１００は、基部１０１と、第１の鉛直部材１０２と、第２の鉛直部材１０３と、水平部材１０４と、固定手段１０５とを有する。
【００１５】
型枠支持具１００の基部１０１は、図２（ａ）及び（ｃ）に示すように、板状の部材から形成され、主に水平方向に広がる長方形状の部分から構成されている。第１の鉛直部材１０２側の基部１０１の端部には、上方に折れ曲がり、第１の鉛直部材１０２に対向する屈折端部１０１ａが形成されている。屈折端部１０１ａの略中央には、図２（ｂ）に示すように、基部１０１の長手方向に貫通した仮止め用孔部１０１ｂが形成されている。また、基部１０１には、上下方向に貫通し、長手方向に長い第１の長孔部１０１ｃ及び第２の長孔部１０１ｄが形成されている。基部１０１の上面で、第１の長孔部１０１ｃの短手方向の両側には、基部１０１の短手方向に直線状に延びる基準線１０１ｅが表示されている。
【００１６】
型枠支持具１００の第１の鉛直部材１０２は、図２（ａ）に示すように、その下部が基部１０１に固定され、上方に直線状に延びている。第１の鉛直部材１０２は、板状の部材から形成され、長手方向に対して垂直に切断した断面が概略Ｕ字型をしている。第１の鉛直部材１０２の下部は、第２の鉛直部材１０３側に屈曲した固定部１０２ａを形成している。固定部１０２ａは、図２（ｃ）に示すように、第１のリベット１０２ｂによって基部１０１に固定されている。図２（ｂ）に示すように、第１の鉛直部材１０２には、基部１０１の長手方向に貫通し、上下方向に長いスリット部１０２ｃが形成されている。スリット部１０２ｃの長手方向に延びる両側面は、波型に形成されている。スリット部１０２ｃの両側には上下方向に等間隔に配置された目盛りが表示されている。
【００１７】
型枠支持具１００の第２の鉛直部材１０３は、第１の鉛直部材１０２と同様の構成をしており、第１の鉛直部材１０２に対向して基部１０１に固定されている。第１の鉛直部材１０２と第２の鉛直部材１０３は、基部１０１の長手方向において、それぞれ、基部１０１の両端から離隔した位置に配置されている。基部１０１に形成された第１の長孔部１０１ｃは、基部１０１の長手方向において、第１の鉛直部材１０２と第２の鉛直部材１０３の間に形成されている。第２の長孔部１０１ｄは、第２の鉛直部材１０３側の基部１０１の端部に形成されている。
【００１８】
第１の鉛直部材１０２と第２の鉛直部材１０３の間には、図２（ａ）に示すように、水平部材１０４が架け渡されている。水平部材１０４は、主に水平方向に広がる板状の部材から形成されている。水平部材１０４は、第２の鉛直部材１０３近傍から上方へ突出した突起片１０４ａを有している。水平部材１０４は、第１の鉛直部材１０２側の第１の端部１０４ｂと、第２の鉛直部材１０３側の第２の端部１０４ｃとを有している。第１の端部１０４ｂは、基部１０１側へ直角に屈曲し、第１の鉛直部材１０２に沿って配置されている。第２の端部１０４ｃも、基部１０１側へ直角に屈曲し、第２の鉛直部材１０３に沿って配置されている。第１の端部１０４ｂは、第３のリベット１０４ｄによって、第１の鉛直部材１０２に固定されている。第１の端部１０４ｂの高さは、第２の型枠パネル１２０の下端の高さに応じて設定することができる。第２の端部１０４ｃは、固定手段１０５によって、第２の鉛直部材１０３に固定される。
【００１９】
固定手段１０５は、第２の端部１０４ｃの固定状態と固定解除状態の切り替えが可能である。第２の端部１０４ｃの固定を解除することにより、水平部材１０４が弾性変形する範囲内で、第２の鉛直部材１０３側の水平部材１０４の部分を上下に移動させ、所望の位置で固定することができる。固定手段１０５としては、例えば、第２の鉛直部材１０３に形成されたスリットを通した部材を用いて第２の鉛直部材１０３を締付ける機構を採用することができ、例えば、ネジ、傾斜カムなどを用いた締付機構とすることができる。
【００２０】
型枠構造１０００において、型枠支持具１００は、図１に示すように、例えば、砕石敷き１５２の上に打設した均しコンクリート１５３の上に設置される。型枠支持具１００は、第１の鉛直部材１０２が建物の外側、第２の鉛直部材１０３が建物の内側に配置される。型枠支持具１００は、図２（ｃ）に示す第１の長孔部１０１ｃと第２の長孔部１０１ｄを通して均しコンクリート１５３に差し込んだ第１の固定具１５６ａと第２の固定具１５６ｂによって均しコンクリート１５３上に固定される。第１の固定具１５６ａ及び第２の固定具１５６ｂとしては、例えば、コンクリート釘やコンクリートビスを採用することができる。型枠支持具１００の位置決めは、均しコンクリート１５３上に墨出しした墨に基準線１０１ｅを合わせることで容易に行うことができる。また、型枠支持具１００を設置する均しコンクリート１５３の部分が傾斜している場合には、固定手段１０５による水平部材１０４の固定を解除して、容易に高さを調整することができる。
【００２１】
型枠支持具１００は所定の間隔で複数設置する。型枠支持具１００を設置した後は、第１の型枠パネル１１０の建て込み、鉄筋１５４の配筋、第２の型枠パネル１２０の建て込みの順に作業を進める。型枠支持具１００が第１の型枠パネル１１０と第２の型枠パネル１２０の位置決めの役割を果たすため、第１の型枠パネル１１０と第２の型枠パネル１２０の建て込みを容易に行うことができる。第１の型枠パネル１１０と第２の型枠パネル１２０は捨て型枠であり、建物の完成後にも残存する。これにより、型枠の解体作業を不要とし、また、基礎立上り部１５７の強度を高めることができる。第１の型枠パネル１１０、第２の型枠パネル１２０としては、例えば、鋼板パネルを採用することができる。
【００２２】
第１の型枠パネル１１０の下部は、第１の下部レール１１１を介して、型枠支持具１００の第１の鉛直部材１０２と屈折端部１０１ａの間に挟まれ、第１の鉛直部材１０２側の基部１０１の端部上に載置される。第１の鉛直部材１０２側の基部１０１の端部は、第１のパネル支持部を構成する。第１の型枠パネル１１０の下部は、仮止め手段によって、型枠支持具１００に仮止めしても良い。仮止め手段としては、例えば、図２（ｂ）に示す仮止め用孔部１０１ｂを通して、第１の型枠パネル１１０の下部に打ち込むビス、釘等を採用することができる。第１の下部レール１１１は、第１の型枠パネル１１０の水平方向の全長にわたって設けられる。第１の下部レール１１１の長手方向に垂直な断面は全長にわたって概略Ｕ字型をしている。第２の型枠パネル１２０の下部は、第２の下部レール１２１を介して、型枠支持具１００の第２の鉛直部材１０３と突起片１０４ａの間に挟まれ、水平部材１０４上に載置される。第２の鉛直部材１０３側の水平部材１０４の部分は、第２のパネル支持部を構成する。第２の下部レール１２１は、第１の下部レール１１１と同様の形状をしている。第１の型枠パネル１１０と第２の型枠パネル１２０の上部には、図１に示すように、幅止め具１３０が取り付けられる。
【００２３】
図３は、幅止め具１３０を示す三面図である。幅止め具１３０は、金属製の板材から形成され、長方形状の主部１３１と、主部１３１の両端部にそれぞれ設けられた第１の補強材保持部１３２と第２の補強材保持部１３３を有している。主部１３１は、後述するアンカーボルト１８０を通す切り欠き部１３１ａを有している。切り欠き部１３１ａは、主部１３１の短手方向の一方の側に開放したＣ字状をしている。主部１３１は、切り欠き部１３１ａから長手方向に離隔して、切り欠き部１３１ａの両側でそれぞれ下方に突出した第１の突起部１３１ｂと第２の突起部１３１ｃとを有している。第１の突起部１３１ｂと第１の補強材保持部１３２の間の主部１３１の部分には、板厚方向に貫通した第１の孔部１３１ｄが形成されている。また、第２突起部１３１ｃと第２の補強材保持部１３３との間の主部１３１の部分にも、板厚方向に貫通した第２の孔部１３１ｅが形成されている。
【００２４】
第１の補強材保持部１３２と第２の補強材保持部１３３は、金属製の板材から形成され、主部１３１の短手方向に見たときに、それぞれ概略Ｕ字型をしている。第１の補強材保持部１３２と第２の補強材保持部１３３は、それぞれ、主部１３１側の上端部で主部１３１の端部と結合している。主部１３１とは反対側の第１の補強材保持部１３２の部分の中央には、板厚方向に貫通した第１の貫通孔部１３２ａが形成されている。また、主部１３１とは反対側の第２の補強材保持部１３３の部分の中央にも、板厚方向に貫通した第２の貫通孔部１３３ａが形成されている。
【００２５】
幅止め具１３０の設置は、図１に示すように、第１の上部レール１１２を介して、第１の補強材保持部１３２と第１の突起部１３１ｂの間に第１の型枠パネル１１０の上部を挟み、第２の上部レール１２２を介して、第２の補強材保持部１３３と第２の突起部１３１ｃの間に、第２の型枠パネル１２０の上部を挟み、第１の上部レール１１２と第２の上部レール１２２の上に載置することで、容易に行うことができる。第１の上部レール１１２と第２の上部レール１２２は、それぞれ、全長にわたって、長手方向に垂直な断面がＵ字状をしている。幅止め具１３０の固定は、主部１３１に形成された第１の孔部１３１ｄと第２の孔部１３１ｅ（図３（ａ）参照）を通して、第１の仮止め具１３４ａと第２の仮止め具１３４ｂを、それぞれ、第１の上部レール１１２と第２の上部レール１２２に打ち込むことにより、容易に行うことができる。第１の仮止め具１３４ａ、第２の仮止め具１３４ｂとしては、例えば、釘やビスを採用することができる。幅止め具１３０は基礎立上り部１５７の長手方向に所定の間隔で複数配置する。
【００２６】
幅止め具１３０を固定した後、第１の補強材保持部１３２と第２の補強材保持部１３３に、それぞれ第１の補強材１４０ａと第２の補強材１４０ｂを嵌め込む。第１の補強材１４０ａと第２の補強材１４０ｂは長尺の部材であり、基礎立上り部１５７の長手方向に沿って配置される。第１の補強材１４０ａ、第２の補強材１４０ｂとしては、例えば、桟木、鋼管などを用いることができる。第１の補強材１４０ａの仮止めを行う場合、第１の補強材保持部１３２に形成された第１の貫通孔部１３２ａ（図３（ｃ）参照）を通して、第１の仮止め部材１４１ａを第１の補強材１４０ａに打ち込むことで、容易に行うことができる。第１の仮止め部材１４１ａとしては、例えば、釘、ビス等を採用することができる。これと同様に、第２の補強材１４０ｂの仮止めも、第２の貫通孔部１３３ａ（図３（ａ）、（ｂ）参照）と、第２の仮止め部材１４１ｂにより容易に行うことができる。第１の補強材１４０ａと第２の補強材１４０ｂを設けることで、型枠構造１０００の通りを良くし、型枠を堅固なものとすることができる。
【００２７】
上記型枠構造１０００を採用した場合、図１に示すように、基礎立上り部１５７の主筋は、幅止め具１３０から吊り下げた懸垂材１４０によって保持することができる。懸垂材１４０としては、例えば、Ｓカンを採用することができる。また、上記型枠構造１０００において、第１の型枠パネル１１０、第２の型枠パネル１２０として鋼板パネルを採用した場合、基礎立上り部１５７の腹筋、下端筋を設けなくても、基礎立上り部１５７に必要な強度を確保することができる。これにより、基礎立上り部１５７の配筋のための工期を短縮化し、省力化することができる。また、型枠構造１０００によれば、べた基礎１５５と基礎立上り部１５７のコンクリート打設を同時に行うことができる。これにより、コンクリートの打設・養生のための工期の短縮と工事の容易化を実現することができる。
【００２８】
次に、基礎立上り部１５７に土台を固定するアンカーボルト１８０を埋め込むために、コンクリートの打設前にアンカーボルト１８０を型枠構造１０００に固定する手段について説明する。アンカーボルトの固定には、図４に示すアタッチメント１７０を用いる。アタッチメント１７０は、幅止め具１３０と共に、後述のアンカーボルト固定具１８５を構成する。図４（ａ）はアタッチメント１７０の上面、図４（ｂ）はアタッチメント１７０の正面、図４（ｃ）はアタッチメント１７０の側面を示している。
【００２９】
アタッチメント１７０は、上部１７１と、第１の側部１７２と、第２の側部１７３と、第１の取付部１７４と、第２の取付部１７５とを有している。アタッチメント１７０は、折り曲げ加工により金属板から形成することができる。上部１７１は、板厚方向に貫通し、直線状に延び、一方の端部が裏面側に開放したスロット部１７１ａを有し、上側から見て概略Ｕ字型をしている。第１の側部１７２と第２の側部１７３は、それぞれ、スロット部１７１ａと平行な上部１７１の縁部から下方に延び、互いに対向している。
【００３０】
図４（ｃ）に示すように、第１の側部１７２の中央近傍には、板厚方向に貫通した第１の横ネジ孔部１７２ａが形成されている。また、第１の側部１７２の下部には、板厚方向に貫通し、水平方向に延び、スロット部１７１ａが開放するのと同じ側（アタッチメント１７０の背面側）に開放したスリットを画定する第１の挟持部１７２ｂを有している。スロット部１７１ａの長手方向において、スロット部１７１ａの開放側の第１の挟持部１７２ｂの端部は、スリットの上側部分がスリットの下側部分よりも、スロット部１７１ａの開放側に突出している。これにより、後述の通り、第１の挟持部１７２ｂに幅止め具１３０の主部１３１を差し込む際、第１の挟持部１７２ｂの上側の端部を主部１３１の上面に当てることで、容易に差し込むことができる。
【００３１】
スロット部１７１ａの長手方向において、挟持部１７２ｂよりもスロット部１７１ａの開放側で、第１の挟持部１７２ｂの上側には、第１の側部１７２から、第２の側部１７３とは反対側に水平方向に広がる板状の第１の取付部１７４が形成されている。第１の取付部１７４の中央には、板厚方向に貫通した第１の縦ネジ孔部１７４ａが形成されている。第２の側部１７３側のアタッチメント１７０の構成は、第１の側部１７２側と同様である。第２の側部１７３には、第２の横ネジ孔部１７３ａ、第２の挟持部１７３ｂが形成されている。また、第２の取付部１７５が設けられ、第２の縦ネジ孔部１７５ａが形成されている。
【００３２】
図５は、アンカーボルト固定具１８５を示す二面図である。（ａ）は上面、（ｂ）は正面を示している。アンカーボルト固定具１８５は、幅止め具１３０とアタッチメント１７０とから構成される。幅止め具１３０へのアタッチメント１７０の取付は、図４（ｃ）において示した挟持部１７２ｂ、１７３ｂのスリットに、幅止め具１３０の主部１３１を差し込み、第１の縦ネジ孔部１７４ａに第１のネジ１９１（図５参照）を螺合し、第２の縦ネジ孔部１７５ａに第２のネジ１９２（図５参照）を螺合して、第１、第２のネジ１９１、１９２の先端を主部１３１に押し当てることにより、容易に行うことができる。
【００３３】
アンカーボルト固定具１８５へのアンカーボルト１８０の固定は、アンカーボルト１８０を、アタッチメント１７０のスロット部１７１ａと、幅止め具１３０の切り欠き部１３１ａを通し、図４（ｂ）、（ｃ）に示す第１の横ネジ孔部１７２ａに第３のネジ１９３（図５参照）を螺合し、図４（ｂ）、（ｃ）に示す第２の横ネジ孔部１７３ａに第４のネジ１９４（図５参照）を螺合し、図５に示すように、第３、第４のネジ１９３、１９４の先端でアンカーボルト１８０を挟むことにより行う。
【００３４】
上記アンカーボルト固定具１８５によれば、幅止め具１３０にアタッチメント１７０を取り付けるだけで、アンカーボルト１８０の固定を容易に行うことができる。また、アタッチメント１７０は、アンカーボルト１８０が切り欠き部１３１ａとスロット部１７１ａを通る範囲内において、幅止め具１３０に対して任意の位置に取り付け可能である。したがって、幅止め具１３０を設置した後でも、アンカーボルト１８０の水平方向の位置の調整を行うことができる。
【００３５】
（第２実施形態）
次に、本願の第２実施形態に係る型枠セットを用いた型枠構造２０００について、図６を参照しながら説明する。図６は、型枠構造２０００を示す縦断面図である。型枠構造２０００は上記第１実施形態の型枠構造１０００と多くの点で共通するため、上記型枠構造１０００について参照符号を付して説明した部分に対応する部分については、上記型枠構造１０００の説明で使用した参照符号に１００を足した数字からなる参照符合を付し、重複する説明は省略する。例えば、第１実施形態の水平部材１０４に対応する第２実施形態の水平部材には「２０４」の参照符号を付する。
【００３６】
本第２実施形態の型枠構造２０００は、外断熱の基礎の構築に用いられる点において、上記第１実施形態とは異なる。型枠構造２０００は、上記第１実施形態の第１の型枠パネル１１０に代えて建物の内と外を断熱する断熱材２１５を設けている。断熱材２１５は、コンクリート打設時に型枠パネルとしての役割も果たす。断熱材２１５は、複数の部分に分けて形成したものを、長尺の連結部材２１８によって水平方向に連結している。断熱材２１５を連結した連結部材２１８は、固定部材２１９によって第１の鉛直部材２０２に固定される。固定部材２１９としては、例えば、ビス、ネジ等を採用することができる。このように、第１の鉛直部材２０２は、断熱材２１５を固定する断熱材固定部材としての役割も果たす。
【００３７】
第１の下部レール２１６は、断熱材２１５の厚さに合わせた幅寸法を有している。第１の上部レール２１７も、断熱材２１５の厚さに合わせた幅寸法を有している。パネル保持具２００において、第１の鉛直部材２０２と屈折端部２０１ａの距離は、第１の下部レール２１６の幅寸法に合わせて設定されている。また、幅止め具２３０において、第１の突起部２３１ｂと第１の補強材保持部２３２との距離は、第１の上部レール２１７の幅寸法に合わせて設定されている。
【００３８】
なお、本願の型枠構造を採用した場合、本第２実施形態に限らず、基礎立上り部２５７の下端筋２５１ａは、図６に示すように、水平部材２０４の上に載置することができる。これにより、配筋作業を容易なものとすることができる。このように、水平部材２０４は、鉄筋支持部としての役割も果たす。
【００３９】
本第２実施形態の型枠構造２０００によれば、外断熱の基礎を短い工期で容易に構築することができる。また、上記第１実施形態において説明したアタッチメント１７０を採用することで、アンカーボルトを容易に配置することができる。
【００４０】
（第３実施形態）
次に、本願の第３実施形態に係る型枠セットを用いた型枠構造３０００について、図７を参照しながら説明する。図７は、型枠構造３０００を示す縦断面図である。型枠構造３０００は、上記第１実施形態の型枠構造１０００と多くの点で共通するため、上記型枠構造１０００について参照符号を付して説明した部分に対応する部分については、上記型枠構造１０００の説明で使用した参照符号に２００を足した数字からなる参照符合を付し、重複する説明は省略する。例えば、第１実施形態の水平部材１０４に対応する本第３実施形態の水平部材には「３０４」の参照符号を付する。
【００４１】
本第３実施形態の型枠構造３０００は、内断熱の基礎の構築に用いられるものである点において、上記第１実施形態とは異なる。型枠構造３０００は、上記第１実施形態の第２の型枠パネル１２０に代えて、建物の内と外を断熱する断熱材３２５を備えている。断熱材３２５は、コンクリート打設時に型枠パネルとしての役割も果たす。断熱材３２５は、複数の部分に分かれて形成されたものが、長尺の連結部材３２８によって水平方向に連結されている。
【００４２】
第２の下部レール３２６は、断熱材３２５の厚さに合わせた幅寸法を有している。第２の上部レール３２７も、断熱材３２５の厚さに合わせた幅寸法を有している。型枠支持具３００において、第２の鉛直部材３０３と突起片３０４ａの距離は、第２の下部レール３２６の幅寸法に合わせて設定されている。また、幅止め具３３０において、第２の突起部３３１ｃと第２の補強材保持部３３３の距離は、第２の上部レール３２７の幅寸法に合わせて設定されている。
【００４３】
本願の型枠構造を採用した場合、本第３実施形態に限らず、基礎立上り部３５７の下端筋３５１ａは、図７に示すように、型枠支持具３００の基部３０１と水平部材３０４の間を通して配置しても良い。
【００４４】
本第３実施形態の型枠構造３０００によれば、内断熱の基礎を短い工期で容易に構築することができる。また、上記第１実施形態において説明したアタッチメント１７０を採用することで、アンカーボルトを容易に配置することができる。
【００４５】
（第４実施形態）
次に、本願の第４実施形態に係る型枠セットを用いた型枠構造４０００について、図８を参照しながら説明する。図８は、型枠構造４０００を示す縦断面図である。型枠構造４０００は、上記第１実施形態の型枠構造１０００と多くの点で共通するため、上記型枠構造１０００について参照符号を付して説明した部分に対応する部分については、上記型枠構造１０００の説明で使用した参照符号に３００を足した数字からなる参照符合を付し、重複する説明は省略する。例えば、第１実施形態の水平部材１０４に対応する第４実施形態の水平部材には「４０４」の参照符号を付する。
【００４６】
本第４実施形態の型枠構造４０００は、建物の内壁を支持する基礎立上り部４５７を構築するために用いられるものである点において、上記第１実施形態とは異なる。型枠構造４０００は、第１の型枠パネル４１０と第２の型枠パネル４２０のいずれも、型枠支持具４００の水平部材４０４により支持し、均しコンクリート４５３から浮かせて配置することで、べた基礎４５５と基礎立上り部４５７のコンクリート打設を同時に行うことができる構成としている。
【００４７】
図９は、本第４実施形態の型枠支持具４００を示す三面図である。（ａ）は正面、（ｂ）は側面、（ｃ）は下面を示している。型枠支持具４００の水平部材４０４は、第１の鉛直部材４０２側の部分から上方に延びる第１の突起片４０４ｅと、第２の鉛直部材４０２側の部分から上方に延びる第２の突起片４０４ａを有している。第１の鉛直部材４０２側の水平部材４０４の部分は、第１の型枠パネル４１０を支持する第１のパネル支持部を構成する。第１の突起片４０４ｅは、第１の鉛直部材４０２とともに第１の型枠パネル４１０の下部を挟む。第２の鉛直部材４０３側の水平部材４０４の部分は、第２の型枠パネル４２０を支持する第２のパネル支持部を構成する。第２の鉛直部材４０３側の第２の突起片４０４ａは第２の鉛直部材４０３とともに第２の型枠パネル４２０の下部を挟む。
【００４８】
水平部材４０４の第１の端部４０４ｂは、第１の固定手段４０６によって、第１の鉛直部材４０２に対する固定と解除が可能となっている。また、水平部材４０４の第２の端部４０４ｃも、第２の固定手段４０５によって、第２の鉛直部材４０３に対する固定状態と固定解除状態の切り替えが可能となっている。これにより、均しコンクリート４５３が傾斜している場合の調整に加えて、第１の型枠パネル４１０と第２の型枠パネル４２０の高さも容易に調整することができる。なお、上記第１から第３実施形態の型枠支持具１００、２００、３００においても、第２の固定手段を有する構成としても良い。型枠支持具４００の基部４０１は、第１の鉛直部材４０２側の端部に第３の長孔部４０１ｅを形成している。基部４０１には、上記第１から第３実施形態で示す屈折端部を形成する必要はない。
【００４９】
本第４実施形態の型枠構造４０００によれば、建物の内壁を支持する基礎立上り部４５７を短い工期で容易に構築することができる。また、上記第１実施形態において説明したアタッチメント１７０を採用することで、アンカーボルトを容易に配置することができる。型枠構造４０００を構成する部材は、型枠支持具４００を除いて、他の実施形態の型枠構造と共通するため、他の実施形態の型枠構造と共に好適に利用することができる。
【００５０】
（第５実施形態）
次に、本願の第５実施形態に係る型枠セットを用いた型枠構造５０００について、図１０を参照しながら説明する。図１０は、型枠構造５０００を示す縦断面図である。型枠構造５０００は、上記第１実施形態の型枠構造１０００と多くの点で共通するため、上記型枠構造１０００について参照符号を付して説明した部分に対応する部分については、上記型枠構造１０００の説明で使用した参照符号に４００を足した数字からなる参照符合を付し、重複する説明は省略する。例えば、第１実施形態の第１の型枠パネル１１０に対応する第５実施形態の第１の型枠パネルには「５１０」の参照符号を付する。
【００５１】
本第５実施形態の型枠構造５０００は、寒冷地仕様である点において、上記第１実施形態とは異なる。型枠構造５０００は、地盤の凍結深度よりも深い根入れ深さを確保するため、基礎立上り部５５７の下部に、建物の全周にわたって、べた基礎５５５よりも下に延びる根入れ部５５８を構築する。そのため、第１実施形態とは異なり、第１の型枠パネル５１０が、べた基礎５５５よりも下に延びている。また、第１の型枠パネル５１０に対面する建物内側のパネルは、べた基礎５５５よりも上に配置された第２の型枠パネル５２０ａと、べた基礎５５５よりも下に配置された第３の型枠パネル５２０ｂとから構成される。
【００５２】
第１の型枠パネル５１０と第３の型枠パネル５２０ｂの下部は、それぞれ、第１の下部レール５１１と第３の下部レール５２１ｂを介して、下部幅止め具５８０の上に載置されている。下部幅止め具５８０は、本体５８２と、第１の屈曲端部５８１ａと、第１の突出部５８１ｂと、第２の屈曲端部５８１ｃと、第２の突出部５８１ｄとを有している。本体５８２は、根入れ部５５８の厚さ方向に長い長方形の平板状をしている。本体５８２は、第１の固定具５５６ａと第２の固定具５５６ｂによって均しコンクリート５５３上に固定される。第１の屈曲端部５８１ａと第２の屈曲端部５８１ｃは、それぞれ、本体５８２の端部から上方に延び、根入れ部５５８の長手方向に広がった平板状をしている。第１の突出部５８１ｂは、第１の屈曲端部５８１ａから、第２の屈曲端部５８１ｃ側に、第１の型枠パネル５１０を挿入するための空間を空けて配置されている。第２の突出部５８１ｄは、第２の屈曲端部５８１ｃから、第１の屈曲端部５８１ａ側に、第３の型枠パネル５２０ｂを挿入するための空間を空けて配置されている。第１の型枠パネル５１０の下部は、第１の屈曲端部５８１ａと第１の突出部５８１ｂとの間に挿入される。第３の型枠パネル５２０ｂの下部は、第２の屈曲端部５８１ｃと、第２の突出部５８１ｄとの間に挿入される。
【００５３】
第２の型枠パネル５２０ａは、第３の型枠パネル５２０ｂに沿って、第３の型枠パネル５２０ｂの上方に、第３の型枠パネル５２０ｂから離隔して配置される。これにより、根入れ部５５８、べた基礎５５５、及び、基礎立上り部５５７のコンクリート打設を一度に行うことができる。第２の型枠パネル５２０ａと第３の型枠パネル５２０ｂの間には、水平方向に所定の間隔をあけて、複数の深基礎用の型枠支持具５６０が配置される。
【００５４】
型枠支持具５６０は、図１１に示すように、第１のアーム５６１と、第２のアーム５６２と、鉛直成分５６３と、パネル保持部５６４とを有している。鉛直成分５６３は、主に長方形状の平板から構成されている。鉛直成分５６３の両端部には、鉛直成分５６３の長手方向に延びる第１の突起成分５６３ａと第２の突起成分５６３ｃが形成されている。第１の突起成分５６３ａは、その中央に、板厚方向に貫通した第１の固定用孔部５６３ｂを有している。また、第２の突起成分５６３ｃは、その中央に、板厚方向に貫通した第２の固定用孔部５６３ｄを有している。
【００５５】
第１のアーム５６１は、鉛直成分５６３の中間部から鉛直成分５６３の長手方向に対して垂直方向に延びる長方形状の平板によって主に構成されている。鉛直成分５６３とは反対側の第１のアーム５６１の端部には、第２のアーム５６２とは反対側に垂直に屈折し、鉛直成分５６３と対面する第１の固定用端部５６１ａが形成されている。第１の固定用端部５６１ａの中央には、第１のアーム５６１の長手方向に貫通した第３の固定用孔部５６１ｂが形成されている。
【００５６】
第２のアーム５６２は、鉛直成分５６３の端部から鉛直成分５６３の長手方向に対して垂直方向に延びる長方形状の平板によって主に構成されている。鉛直成分５６３とは反対側の第２のアーム５６２の端部には、第１の固定用端部５６１ａ側に垂直に屈折し、鉛直成分５６３と対面する平板状の第２の固定用端部５６２ａが形成されている。第２の固定用端部５６２ａの中央には、第２のアーム５６２の長手方向に貫通した第４の固定用孔部５６２ｃが形成されている。第２のアーム５６２は、鉛直成分５６３側の端部近傍から、第１のアーム５６１とは反対側に突出した第３の突起成分５６２ｂを有している。鉛直成分５６３側の第２のアーム５６２の端部は、第３の型枠パネル５２０ｂによって支持され、被支持部としての役割を果たす。
【００５７】
パネル保持部５６４は、第２のアーム５６２とは反対側の鉛直成分５６３の端部から、鉛直成分５６３の長手方向に垂直な方向で、第１のアーム５６１と同じ側に突出し、鉛直成分５６３の長手方向において第１のアームとは反対側に垂直に屈折している。
【００５８】
図１０に示すように、型枠支持具５６０は、第１の型枠パネル５１０と第３の型枠パネル５２０ｂを配置した状態で、第３の型枠パネル５２０ｂの上部を、第３の上部レール５２２ｂを介して第２の突起成分５６３ｃと第３の突起成分５６２ｂの間に差し込み、第３の固定用孔部５６１ｂ（図１１参照）を通した第１の固定要素５６１ｃと、第４の固定用孔部５６２ｃ（図１１参照）を通した第２の固定要素５６２ｄと、第２の固定用孔部５６３ｄ（図１１参照）を通した第３の固定要素５６３ｆによって、第１の型枠パネル５１０と第３の型枠パネル５２０ｂに固定される。その後、第２の型枠パネル５２０ａの下部が、第２の下部レール５２１ａを介して、パネル保持部５６４と第１の突起成分５６３ａの内側に挿入される。第２の型枠パネル５２０ａの下部は、第１の固定用孔部５６３ｂを通した第４の固定要素５６３ｅによって型枠支持具５６０に固定される。第１から第４の固定要素５６１ｃ、５６２ｄ、５６３ｆ、５６３ｅとしては、例えば、釘、ビスなどを採用することができる。
【００５９】
本第５実施形態の型枠構造５０００によれば、寒冷地において凍結深度よりも深い根入れ深さを確保した基礎と基礎立上り部を短い工期で容易に構築することができる。また、上記第１実施形態において説明したアタッチメント１７０を採用することで、アンカーボルトを容易に配置することができる。なお、型枠構造５０００において、第１のアーム５６１と第２のアーム５６２を設けることにより強度上有利となるが、第１のアーム５６１を有さない構成とすることもできる。
【００６０】
（第６実施形態）
次に、本願の第６実施形態に係る型枠セットを用いた型枠構造６０００について、図１２を参照しながら説明する。図１２は、型枠構造６０００を示す縦断面図である。型枠構造６０００は、上記第５実施形態の型枠構造５０００と多くの点で共通するため、上記型枠構造５０００について参照符号を付して説明した部分に対応する部分については、上記型枠構造５０００の説明で使用した参照符号に１００を足した数字からなる参照符合を付し、重複する説明は省略する。例えば、第５実施形態の第１の型枠パネル５１０に対応する第６実施形態の第１の型枠パネルには「６１０」の参照符号を付する。
【００６１】
本第６実施形態においては、第５実施形態の型枠支持具５００の代わりに、第１実施形態において説明した型枠支持具１００を用いる。これにより、寒冷地と非寒冷地において、共通の型枠支持具１００を使用できるというメリットがある。なお、型枠支持具１００については、第１実施形態と同じ参照符号を付し、重複する説明は省略する。
【００６２】
本第６実施形態においては、べた基礎６５５の下部に均しコンクリート６５３ｂを打設し、固定具６５６ａによって、均しコンクリート６５３ｂ上に型枠支持具１００を固定している。第２の型枠パネル６２０ａの下部は、第２の下部レール６２１ａを介して、第２の鉛直部材１０３と突起片１０４ａの間に挿入され、水平部材１０４によって支持されている。これにより、上記第５実施形態と同様に、根入れ部６５８、べた基礎６５５、及び、基礎立上り部６５７のコンクリート打設を１回で済ませることができる。なお、均しコンクリート６５３ｂの下は、樹脂ブロックを複数並べて構成した樹脂ブロック層６５９とすることが好ましい。樹脂ブロック層６５９を構成する樹脂ブロックは、上下に貫通した通水性の開口を有しており、地中水位が上昇した際に、地中の水が下から樹脂ブロック層６５９内に浸入する構成とすることが好ましい。これにより、直下地盤の圧密沈下を軽減し、また、地震時に、樹脂ブロック層６５９内に間隙水を取入れ、水圧による噴砂を防ぐことで、液状化による建物の沈下を防ぐことができる。
【００６３】
以上に説明した本第６実施形態の型枠構造６０００によれば、寒冷地において凍結深度よりも深い根入れ深さを確保した基礎と基礎立上り部を短い工期で容易に構築することができる。また、上記第１実施形態において説明したアタッチメント１７０を採用することで、アンカーボルトを容易に配置することができる。
【００６４】
なお、本願発明は上記実施形態に限定されるものではなく、種々の変更・改良等が可能である。例えば、本願の型枠支持具１００、２００、３００、４００、５６０、アンカーボルト固定具１８５は、一部又は全部を樹脂から形成することができる。
【符号の説明】
【００６５】
１００、２００、３００、４００  型枠支持具
１０１、２０１、３０１、４０１  基部
１０１ａ、２０１ａ、３０１ａ  屈折端部
１０１ｂ  仮止め用孔部
１０１ｃ  第１の長孔
１０１ｄ  第２の長孔
１０１ｅ  基準線
１０２、２０２、３０２、４０２  第１の鉛直部材
１０２ａ  第１の固定部
１０２ｂ  第１のリベット
１０２ｃ  スリット部
１０３、２０３、３０３、４０３  第２の鉛直部材
１０３ａ  第２の固定部
１０３ｂ  第２のリベット
１０４、２０４、３０４、４０４  水平部材
１０４ａ、２０４ａ、３０４ａ  突起片
１０４ｂ  第１の端部
１０４ｃ  第２の端部
１０４ｄ  第３のリベット
１０５、２０５、３０５  固定手段
１１０、３１０、４１０、５１０、６１０  第１の型枠パネル
１１１、３１１、４１１、５１１、６１１  第１の下部レール
１１２、３１２、４１２、５１２、６１２  第１の上部レール
１２０、２２０、４２０、５２０ａ、６２０ａ  第２の型枠パネル
１２１、２２１、４２１、５２１ａ、６２１ａ  第２の下部レール
１２２、２２２、４２２、５２２ａ、６２２ａ  第２の上部レール
１３０、２３０、３３０、４３０、５３０、６３０  幅止め具
１３１、２３１、３３１、４３１、５３１、６３１  主部
１３１ａ  切り欠き部
１３１ｂ、２３１ｂ、３３１ｂ、４３１ｂ、５３１ｂ、６３１ｂ  第１の突起部
１３１ｃ、２３１ｃ、３３１ｃ、４３１ｃ、５３１ｃ、６３１ｃ  第２の突起部
１３１ｄ  第１の孔部
１３１ｅ  第２の孔部
１３２、２３２、３２３、４３３、５３３、６３３  第１の補強材保持部
１３２ａ  第１の貫通孔部
１３３、２３３、３３３、４３２、５３２、６３２  第２の補強材保持部
１３３ａ  第２の貫通孔部
１３４ａ、２３４ａ、３３４ａ、４３４ａ、５３４ａ、６３４ａ  第１の仮止め具
１３４ｂ、２３４ｂ、３３４ｂ、４３４ｂ、５３４ｂ、６３４ｂ  第２の仮止め具
１４０ａ、２４０ａ、３４０ａ、４４０ａ、５４０ａ、６４０ａ  第１の補強材
１４０ｂ、２４０ｂ、３４０ｂ、４４０ｂ、５４０ｂ、６４０ｂ  第２の補強材
１４１ａ、２４１ａ、３４１ａ、４４１ａ、５４１ａ、６４１ａ  第１の仮止め部材
１４１ｂ、２４１ｂ、３４１ｂ、４４１ｂ、５４１ｂ、６４１ｂ  第２の仮止め部材
１５２、２５２、３５２、４５２、５５２、６５２  砕石敷き
１５３、２５３、３５３、４５３、５５３、６５３ａ、６５３ｂ  均しコンクリート
１５５、２５５、３５５、４５５、５５５、６５５  べた基礎
１５４、２５４、３５４、４５４、５５４、６５４  鉄筋
１５６ａ、２５６ａ、３５６ａ、４５６ａ、５５６ａ、６５６ａ  第１の固定具
１５６ｂ、２５６ｂ、３５６ｂ、４５６ｂ、５５６ｂ、６５６ｂ  第２の固定具
１５７、２５７、３５７、４５７、５５７、６５７  基礎立上り部
１７０  アタッチメント
１７１  上部
１７１ａ  スロット部
１７２  第１の側部
１７２ａ  横ネジ孔部
１７２ｂ  第１の挟持部
１７３  第２の側部
１７３ａ  第２の横ネジ孔部
１７３ｂ  第２の挟持部
１７４  第１の取付部
１７４ａ  第１の縦ネジ孔部
１７５  第２の取付部
１７５ａ  第２の縦ネジ孔部
１８０  アンカーボルト
１８５  アンカーボルト固定具
１９１  第１のネジ
１９２  第２のネジ
１９３  第３のネジ
１９４  第４のネジ
２１５、３２５  断熱材
２１６  第１の下部レール
２１７  第１の上部レール
２１８、３２８  連結部材
２１９  固定部材
３２６  第２の下部レール
３２７  第２の上部レール
４０４ａ  第２の突起片
４０４ｅ  第１の突起片
４０５  第１の固定手段
４０６  第２の固定手段
４５６ｃ  第３の固定具
５２０ｂ、６２０ｂ  第３の型枠パネル
５２１ｂ、６２１ｂ  第３の下部レール
５６０  深基礎用の型枠支持具
５６１  第１のアーム
５６１ａ  第１の固定用端部
５６１ｂ  第３の固定用孔部
５６１ｃ  第１の固定要素
５６２  第２のアーム
５６２ａ  第２の固定用端部
５６２ｂ  第３の突起成分
５６２ｃ  第４の固定用孔部
５６２ｄ  第２の固定要素
５６３  鉛直成分
５６３ａ  第１の突起成分
５６３ｂ  第１の固定用孔部
５６３ｃ  第２の突起成分
５６３ｄ  第２の固定用孔部
５６３ｅ  第４の固定要素
５６３ｆ  第３の固定要素
５６４  パネル保持部
５８０  下部幅止め具
５８１ａ  第１の屈曲端部
５８１ｂ  第１の突出部
５８１ｃ  第２の屈曲端部
５８１ｄ  第２の突出部
５８２  本体
６５９  樹脂ブロック層
１０００、２０００、３０００、４０００、５０００、６０００  型枠構造
【図１】
2020190168.tif 000003
【図２】
2020190168.tif 000004
【図３】
2020190168.tif 000005
【図４】
2020190168.tif 000006
【図５】
2020190168.tif 000007
【図６】
2020190168.tif 000008
【図７】
2020190168.tif 000009
【図８】
2020190168.tif 000010
【図９】
2020190168.tif 000011
【図１０】
2020190168.tif 000012
【図１１】
2020190168.tif 000013
【図１２】
2020190168.tif 000014
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第２の鉛直部材に対する前記水平部材の固定状態と固定解除状態を切り替え可能な固定手段と、を有し、
前記基部は、前記第１の鉛直部材に対して前記第２の鉛直部材とは反対側で、第１の型枠パネルを支持する第１のパネル支持部を有し、
前記水平部材は、前記第１の型枠パネルに対向する第２の型枠パネルを、前記第２の鉛直部材側で支持する第２のパネル支持部を備える型枠支持具。
【請求項２】
前記第１の型枠パネルが断熱材から構成されている請求項１に記載の型枠支持具。
【請求項３】
前記第２の型枠パネルが断熱材から構成されている請求項１に記載の型枠支持具。
【請求項４】
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第１の鉛直部材に対する前記水平部材の固定状態と固定解除状態を切り替え可能な第１の固定手段と、
前記第２の鉛直部材に対する前記水平部材の固定状態と固定解除状態を切り替え可能な第２の固定手段と、を有し、
前記水平部材は、前記第１の鉛直部材側で第１の型枠パネルを支持する第１のパネル支持部と、前記第１の型枠パネルに対向する第２の型枠パネルを前記第２の鉛直部材側で支持する第２のパネル支持部とを備える型枠支持具。
【請求項５】
重力方向に延びる鉛直成分と、
前記鉛直成分から水平方向に延び、先端に第１の型枠パネルに固定される固定用端部を備えたアームと、
前記鉛直成分の上側で前記第１の型枠パネルに対向する第２の型枠パネルを保持するパネル保持部と、
前記鉛直成分の下側で前記第１の型枠パネルに対向する第３の型枠パネルに支持される被支持部と、を有する深基礎用の型枠支持具。
【請求項６】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記上部を支持する一対の側部と、を有し、
前記一対の側部は、水平方向に延び、一方の側に開放するスロットを画定する挟持部を備え、前記挟持部に前記主部を差し込むことにより前記主部に対して水平方向の位置調整可能に取り付けられるアンカーボルト固定具。
【請求項７】
主部と、前記主部の端部にそれぞれ固定され、長尺の補強材を基礎立上り部の長手方向に保持する一対の補強材保持部を有する幅止め具と、
請求項１に記載の型枠支持具と、を含む型枠セット。
【請求項８】
主部と、前記主部の端部にそれぞれ固定され、長尺の補強材を基礎立上り部の長手方向に保持する一対の補強材保持部を有する幅止め具と、
請求項４に記載の型枠支持具と、を含む型枠セット。
【請求項９】
主部と、前記主部の端部にそれぞれ固定され、長尺の補強材を基礎立上り部の長手方向に保持する一対の補強材保持部を有する幅止め具と、
請求項５に記載の型枠支持具と、を含む型枠セット。
【請求項１０】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具と、
請求項１に記載の型枠支持具と、を含む型枠セット。
【請求項１１】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具と、
請求項４に記載の型枠支持具と、を含む型枠セット。
【請求項１２】
基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記主部に対して水平方向の位置調整可能に取り付けられ、前記上部を支持する一対の側部と、を有するアンカーボルト固定具と、
請求項５に記載の型枠支持具と、を含む型枠セット。
【請求項１３】
基礎立上り部の側面を構成する鋼板パネルと、
請求項１に記載の型枠支持具と、を含む型枠セット。
【請求項１４】
基礎立上り部の側面を構成する鋼板パネルと、
請求項４の型枠支持具と、を含む型枠セット。
【請求項１５】
基礎立上り部の側面を構成する鋼板パネルと、
請求項５の型枠支持具と、を含む型枠セット。
【手続補正２】
【補正対象書類名】明細書
【補正対象項目名】０００９
【補正方法】変更
【補正の内容】
【０００９】
本願のアンカーボルト固定具は、基礎立上り部の厚さ方向に延び、アンカーボルトを通す切り欠き部を備えた主部と、
前記主部の端部にそれぞれ固定され、長尺の補強材を前記基礎立上り部の長手方向に沿って保持する一対の補強材保持部と、
前記主部の上方に配置され、前記アンカーボルトを通すスロットを備えた上部と、
前記上部を支持する一対の側部と、を有し、
前記一対の側部は、水平方向に延び、一方の側に開放するスロットを画定する挟持部を備え、前記挟持部に前記主部を差し込むことにより前記主部に対して水平方向の位置調整可能に取り付けられる。